(57)【要約】【課題】  本発明は、施工工期を大幅に短縮できるとともに、電気給湯機ごとに相違する支持脚の位置に対応して容易に設置できる電気給湯機用台を提供することにある。【解決手段】  電気給湯機１を載せるための電気給湯機用台であって、正面と両側面と背面の四方を囲む各側壁部３，３，３，３と、各側壁部３，３，３，３の上方に配置する上壁部２とを備えるとともに、上壁部２と各側壁部で囲まれた内部空間Ｓを有しており、上壁部２は、樹脂で形成してあると共に、前記内部空間Ｓと連通し且つ電気給湯機１の給水パイプ１ａを通す給水孔４が設けてあることを特徴とする。【選択図】      図１
2010060178.tif 000002
【特許請求の範囲】
【請求項１】
電気給湯機を載せるための電気給湯機用台であって、
正面と両側面と背面の四方を囲む各側壁部と、各側壁部の上方に配置する上壁部とを備えるとともに、上壁部と各側壁部で囲まれた内部空間を有しており、
上壁部は、樹脂で形成してあると共に、前記内部空間と連通し且つ電気給湯機の給水パイプを通す給水孔が設けてあることを特徴とする電気給湯機用台。
【請求項２】
前記給水孔は、給水パイプを挿通した状態でコンクリートを打設可能な孔径で形成してあることを特徴とする請求項１記載の電気給湯機用台。
【請求項３】
上壁部もしくは側壁部には、内部空間を分割しない位置に補強リブが配置してあることを特徴とする請求項１又は２記載の電気給湯機用台。
【発明の詳細な説明】
【技術分野】
【０００１】
本発明は、電気給湯機を載せるための電気給湯機用台に関するものである。
【背景技術】
【０００２】
近年、自動冷媒ヒートポンプ式電気給湯機（又は電気温水器。一般にエコキュート（登録商標４５７５２１６号：商標権者・関西電力株式会社）と呼ばれる。）が飛躍的に普及している。上記の電気給湯機は、ヒートポンプ技術を利用してお湯を沸かすもののうち、冷媒として二酸化炭素を用いる機種を示しており、従来この種の電気給湯機の冷媒として用いられた代替フロンに比べて環境負荷が大幅に低いことが知られている。そして、上記の電気給湯機は、方形をなす中空ケース体の中に貯湯タンクが収められており、ケース外に設置してあるヒートポンプユニットで外気を取り込んでユニット内の二酸化炭素を暖め、その二酸化炭素を圧縮機に送り込んで圧縮して高温とし、貯湯タンク内の水を加熱する構造である。また、中空ケース体の下部には、貯湯タンクに給水するための給水パイプが取り付けてあり、このような電気給湯機を設置するときには、給水パイプの設置スペースの確保及び電気給湯機に対する浸水を防ぐ目的から、何らかの手段を用いて地盤よりも高い位置に置くものであった。
【０００３】
この種の電気給湯機用台には、通常、コンクリート製のものが使用されており、現場に電気給湯機を取り付けるときに、まず、型枠を組んだ後に、生コンを流し込んで養生するといったコンクリート物を施工するための一連の手順を経るものであったため、施工には一定の工期を要するものであった。このような事情から、あらかじめ工場で製造したコンクリート製の台を現場に持ち込むものも登場したが、電気給湯機の下部には、通常、下方に配管スペースを確保するための支持脚が複数本設けてあるため、コンクリート製の台の固い上壁部に対し、各支持脚の挿通孔を加工するのは容易ではなかった。さらに、工場で製造したコンクリート製の台の内部空間にレールを架設したり、あるいはブロック等を配置し、そのレールやブロックを足場として電気給湯機の支持脚を載せるタイプのものもあったが、電気給湯機メーカー各社で支持脚の位置が異なっており、したがって、すべての電気給湯機に対応しない不都合があった。
【特許文献１】特開２００８−０３１８２６号公報
【特許文献２】特開２００２−２０６８１１号公報
【発明の開示】
【発明が解決しようとする課題】
【０００４】
本発明は、上記課題を鑑みてなされたものであり、施工工期を大幅に短縮できるとともに、電気給湯機ごとに相違する支持脚の位置に対応して容易に設置できる電気給湯機用台を提供することにある。
【課題を解決するための手段】
【０００５】
本発明のうち請求項１記載の発明は、電気給湯機を載せるための電気給湯機用台であって、正面と両側面と背面の四方を囲む各側壁部と、各側壁部の上方に配置する上壁部とを備えるとともに、上壁部と各側壁部で囲まれた内部空間を有しており、上壁部は、樹脂で形成してあると共に、前記内部空間と連通し且つ電気給湯機の給水パイプを通す給水孔が設けてあることを特徴とする。
【０００６】
本発明のうち請求項２記載の発明では、前記給水孔は、給水パイプを挿通した状態でコンクリートを打設可能な孔径で形成してあることを特徴とする。
【０００７】
本発明のうち請求項３記載の発明は、上壁部又は側壁部には、内部空間を分割しない位置に補強リブが配置してあることを特徴とする。
【発明の効果】
【０００８】
請求項１記載の発明によれば、上壁部が樹脂で形成してあることで、メーカー各社で相違する電気給湯機の支持脚の位置にあわせて簡単に孔加工できる。
【０００９】
請求項２記載の発明によれば、給水パイプを挿通した給水孔に生コンを流し込んだとき、上壁部及び各側壁部が型枠の役割を果たすので、生コンの養生中であっても納入当日に電気給湯機を使用でき、したがって、従来あった養生期間を設けることなく短工期で電気給湯機を設置できる。
【００１０】
請求項３記載の発明によれば、補強リブが内部空間を分割しない位置に設けてあるので、
電気給湯機の載置やコンクリートの打設による負荷への耐久性が向上するのは勿論、一度の工程で内部空間全体にコンクリートを打設でき、さらに工期の短縮を図ることができる。
【発明を実施するための最良の形態】
【００１１】
以下、本発明の防護カバーの実施形態を図面に基づいて説明する。
図１は、本実施による電気給湯機用台の使用状態を示す斜視図である。図２（ａ）〜（ｅ）は、本実施による電気給湯機用台を示す各図であり、（ａ）は、平面図であり、（ｂ）は、底面図であり、（ｃ）は、正面図であり、（ｄ）は、（ａ）のＡ−Ａ線断面図であり、（ｅ）は、Ｂ−Ｂ線断面図である。図３（ａ）（ｂ）（ｃ）（ｄ）は、各々、本実施による電気給湯機用台の取付手順を示す簡略化した斜視図である。
【００１２】
本実施による電気給湯機用台は、図１と図２（ａ）のように、正面・両側面・背面の四方を囲む各側壁部３，３，３，３と、各側壁部３，３，３，３の上方に配置する電気給湯機１が載置される上壁部２と、上壁部２の略中央に設けてある給水孔４と、給水孔４の全周から垂下する周壁４ａと、周壁４ａの外周面から略９０°間隔で外向きに突出する四箇所の各補強リブ５，５，５，５とからなっている。
また、図２（ａ）のように、上壁部２の四隅のコーナー部には、それぞれに切欠部６を有しており、また、図２（ｂ）（ｃ）のように、各切欠部６は、各側壁部３，３，３，３の上下方向の中間部まで設けてあり段状をなすと共に、各側壁部３，３，３，３の切欠部６には、本実施による電気給湯機用台を地盤Ｇに固定するためのアンカーボルト７が挿通する。そして、上壁部２の略中央には、上壁部２を上下に貫通した給水孔４が設けてあり、この給水孔４は、上壁部２の下端面から垂下する円筒状の周壁４ａが設けてあり、電気給湯機１の下部から延長する給水パイプ１ａを挿通するものである。また、補強リブ５，５，５，５は、各々が略垂直に起立した羽根状をなすものであり、給水孔４の周壁４ａ外周面から略９０°間隔の４箇所において外向きに突出しており、図２（ｄ）（ｅ）のように、各補強リブ５，５，５，５は、周壁４ａよりも下方に垂下していると共に、下端縁が地盤Ｇに当接する位置にある。
【００１３】
次に本実施による電気給湯機用台の施工手順について、図３（ａ）〜（ｄ）に基づいて以下に説明する。
まず、第一の手順として図３（ａ）のように、上壁部２の給水孔４に地盤Ｇから延びる給水パイプ１ａを挿通すると共に、地盤Ｇの上に本実施による電気給湯機用台を載置し、電気給湯機用台の四隅の切欠部６をアンカーボルト７で固定し、電気給湯機用台の給水孔４からコンクリート（生コン）１０を流し込む。
次に、第二の手順として、図３（ｂ）（ｃ）のように、上壁部２に１２０°間隔の三箇所に貫通孔８，８，８をあける。次に、第三の手順として、図３（ｃ）のように、給水孔４から延びる給水パイプを電気給湯機の給水管に接続し、さらに、電気給湯機１の各支持脚９，９，９を、上壁部２に設けてある三箇所の貫通孔８，８，８に挿通する。
最後に、電気給湯機１をそのまま降ろして上壁部２に載置して各支持脚９，９，９を地盤Ｇに当接し、図３（ｄ）のように電気給湯機１の施工が完了する。
尚、本電気給湯機用台の内部にあるコンクリート（生コン）１０が乾いていない状態であっても、電気給湯機１が本電機給湯機用台及び地盤Ｇに置かれた状態であるから、この状態であっても電気給湯機１の支持は確保されており、これにより、養生期間中であっても電気給湯機用台の設置当日から電気給湯機１を使用することが可能である。
【００１４】
本発明の電気給湯機用台は、上記実施形態を限定するものではない。例えば、図４（ａ）〜(ｄ)のように、補強リブ５，５，５，５が各側壁部３，３，３，３から給水孔４のある側に向かって突出したものであってもよい。具体的に補強リブ５，５，５，５は、四方の各側壁部３，３，３，３における内部空間Ｓと面する側の壁面に設けてあり、各補強リブ５，５，５，５の上端部は、上壁部２の下端面とつながって上壁部２を支持する。このことから本実施による電気給湯機用台であっても、上記実施形態のものと同様に内部空間Ｓが連続した状態となっており、コンクリート（生コン）１０を打設したときに、一度の工程で内部空間全体にコンクリートが流れ込むことになる。また、補強リブ５，５，５，５の数についても特に限定しない。また、本電気給湯機用台の素材についても、例えば、ポリエチレン樹脂やＡＳ樹脂（アクリルニトリルスチレン樹脂）などの再生合成樹脂など、汎用な合成樹脂が用いられる。また、上記した各実施形態については、射出成形による樹脂成形品について説明しているが、電気給湯機１の支持脚９，９，９を通すための孔加工が容易になればよいから、少なくとも上壁部２のみを樹脂としてもよい。
【図面の簡単な説明】
【００１５】
【図１】本実施による電気給湯機用台の使用状態を示す斜視図である。
【図２（ａ）（ｂ）（ｃ）（ｄ）（ｅ）】本実施による電気給湯機用台を示す各図であり、（ａ）は、平面図であり、（ｂ）は、底面図であり、（ｃ）は、正面図であり、（ｄ）は、（ａ）のＡ−Ａ線断面図であり、（ｅ）は、Ｂ−Ｂ線断面図である。
【図３（ａ）（ｂ）（ｃ）（ｄ）】（ａ）（ｂ）（ｃ）（ｄ）は各々、本実施による電気給湯機用台の取付手順を示す簡略化した斜視図である。
【図４（ａ）（ｂ）（ｃ）（ｄ）】本発明の他の実施形態の電気給湯機用台を示す各図であり、（ａ）は、平面図であり、（ｂ）は、底面図であり、（ｃ）は、（ａ）のＣ−Ｃ線断面図であり、（ｄ）は、（ａ）のＤ−Ｄ線断面図である。
【符号の説明】
【００１６】
１  電気給湯機
１ａ  給水パイプ
２  上壁部
３  側壁部
４  給水孔
５  補強リブ
１０  生コン、コンクリート
Ｇ  地盤
【図１】
2010060178.tif 000003
【図２（ａ）（ｂ）（ｃ）（ｄ）（ｅ）】
2010060178.tif 000004
【図３（ａ）（ｂ）（ｃ）（ｄ）】
2010060178.tif 000005
【図４（ａ）（ｂ）（ｃ）（ｄ）】
2010060178.tif 000006